(57)【要約】【課題】効率的に誤り訂正復号化を行う。【解決手段】トランスポートブロックを受信する受信部と、前記複数の第１のコードブロックを復号する復号化部と、を備え、前記複数の第１のコードブロックのそれぞれは、ソフトバッファサイズに基づいて符号化され、前記ソフトバッファサイズは、少なくとも第１の値に基づき与えられ、前記トランスポートブロックの初期送信において、前記第１の値は前記複数の第１のコードブロックの数であり、前記複数の第１のコードブロックの数は前記トランスポートブロックのサイズに基づき与えられ、前記トランスポートブロックのサイズは前記下りリンク制御情報に含まれるＭＣＳフィールドに少なくとも基づき与えられ、第２のコードブロックが再送信される場合、前記第１の値は前記第２のコードブロックの数であり、前記第２のコードブロックは前記分割された複数の第１のコードブロックの一部のコードブロックを含む。【選択図】図５
2020080443.tif 000002
【特許請求の範囲】
【請求項１】
下りリンクグラントに基づきトランスポートブロックを受信する受信部と、
前記トランスポートブロックは複数の第１のコードブロックに分割され、
前記複数の第１のコードブロックを復号する復号化部と、を備え、
前記複数の第１のコードブロックのそれぞれは、ソフトバッファサイズに基づいて符号化され、
前記ソフトバッファサイズは、少なくとも第１の値に基づき与えられ、
前記トランスポートブロックの初期送信において、前記第１の値は前記複数の第１のコードブロックの数であり、
前記複数の第１のコードブロックの数は前記トランスポートブロックのサイズに基づき与えられ、
前記トランスポートブロックのサイズは前記下りリンク制御情報に含まれるＭＣＳフィールドに少なくとも基づき与えられ、
第２のコードブロックが再送信される場合、前記第１の値は前記第２のコードブロックの数であり、
前記第２のコードブロックは前記分割された複数の第１のコードブロックの一部のコードブロックを含む
端末装置。
【請求項２】
前記第２のコードブロックの数は前記下りリンク制御情報に含まれる第１のフィールドにより指示される、または、前記トランスポートブロックのための受信確認応答に基づき与えられる
請求項１に記載の端末装置。
【請求項３】
前記分割は、前記トランスポートブロックのサイズに基づく
請求項１に記載の端末装置。
【請求項４】
下りリンクグラントに基づきトランスポートブロックを送信する送信部と、
前記トランスポートブロックは複数の第１のコードブロックに分割され、
前記複数の第１のコードブロックを符号化する符号化部と、を備え、
前記複数の第１のコードブロックのそれぞれは、ソフトバッファサイズに基づいて符号化され、
前記ソフトバッファサイズは、少なくとも第１の値に基づき与えられ、
前記トランスポートブロックの初期送信において、前記第１の値は前記複数の第１のコードブロックの数であり、
前記複数の第１のコードブロックの数は前記トランスポートブロックのサイズに基づき与えられ、
前記トランスポートブロックのサイズは前記下りリンク制御情報に含まれるＭＣＳフィールドに少なくとも基づき与えられ、
第２のコードブロックが再送信される場合、前記第１の値は前記第２のコードブロックの数であり、
前記第２のコードブロックは前記分割された複数の第１のコードブロックの一部のコードブロックを含む
基地局装置。
【請求項５】
前記第２のコードブロックの数は前記下りリンク制御情報に含まれる第１のフィールドにより指示される、または、前記トランスポートブロックのための受信確認応答に基づき与えられる
請求項４に記載の基地局装置。
【請求項６】
前記分割は、前記トランスポートブロックのサイズに基づく
請求項４に記載の基地局装置。
【請求項７】
端末装置の通信方法であって、
下りリンクグラントに基づきトランスポートブロックを受信するステップと、
前記トランスポートブロックは複数の第１のコードブロックに分割され、
前記複数の第１のコードブロックを復号するステップと、を備え、
前記複数の第１のコードブロックのそれぞれは、ソフトバッファサイズに基づいて符号化され、
前記ソフトバッファサイズは、少なくとも第１の値に基づき与えられ、
前記トランスポートブロックの初期送信において、前記第１の値は前記複数の第１のコードブロックの数であり、
前記複数の第１のコードブロックの数は前記トランスポートブロックのサイズに基づき与えられ、
前記トランスポートブロックのサイズは前記下りリンク制御情報に含まれるＭＣＳフィールドに少なくとも基づき与えられ、
第２のコードブロックが再送信される場合、前記第１の値は前記第２のコードブロックの数であり、
前記第２のコードブロックは前記分割された複数の第１のコードブロックの一部のコードブロックを含む
通信方法。
【請求項８】
基地局装置の通信方法であって、
下りリンクグラントに基づきトランスポートブロックを送信するステップと、
前記トランスポートブロックは複数の第１のコードブロックに分割され、
前記複数の第１のコードブロックを符号化するステップと、を備え、
前記複数の第１のコードブロックのそれぞれは、ソフトバッファサイズに基づいて符号化され、
前記ソフトバッファサイズは、少なくとも第１の値に基づき与えられ、
前記トランスポートブロックの初期送信において、前記第１の値は前記複数の第１のコードブロックの数であり、
前記複数の第１のコードブロックの数は前記トランスポートブロックのサイズに基づき与えられ、
前記トランスポートブロックのサイズは前記下りリンク制御情報に含まれるＭＣＳフィールドに少なくとも基づき与えられ、
第２のコードブロックが再送信される場合、前記第１の値は前記第２のコードブロックの数であり、
前記第２のコードブロックは前記分割された複数の第１のコードブロックの一部のコードブロックを含む
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Ｌｏｎｇ  Ｔｅｒｍ  Ｅｖｏｌｕｔｉｏｎ （ＬＴＥ）」、または、「Ｅｖｏｌｖｅｄ  Ｕｎｉｖｅ
ｒｓａｌ  Ｔｅｒｒｅｓｔｒｉａｌ  Ｒａｄｉｏ  Ａｃｃｅｓｓ  ：  ＥＵＴＲＡ」と称する。）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：  ３ＧＰＰ）において検討されている。ＬＴＥにおいて、基地局装置はｅＮｏｄｅＢ（ｅｖｏｌｖｅｄ  ＮｏｄｅＢ）、端末装置はＵＥ（Ｕｓｅｒ  Ｅｑｕｉｐｍｅｎｔ）とも呼称される。ＬＴＥは、基地局装置がカバーするエリアをセル状に複数配置するセルラー通信システムである。単一の基地局装置は複数のセルを管理してもよい。
【０００３】
３ＧＰＰでは、国際電気通信連合（ＩＴＵ：  Ｉｎｔｅｒｎａｔｉｏｎａｌ  Ｔｅｌｅｃｏｍｍｕｎｉｃａｔｉｏｎ  Ｕｎｉｏｎ）が策定する次世代移動通信システムの規格であるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）―２０２０に提案するため、次世代規格（ＮＲ：  Ｎｅｗ  Ｒａｄｉｏ）の検討が行われている（非特許文献１）。ＮＲは、単一の技術の枠組みにおいて、ｅＭＢＢ（ｅｎｈａｎｃｅｄ  Ｍｏｂｉｌｅ  ＢｒｏａｄＢａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）の３つのシナリオを想定した要求を満たすことが求められている。
【０００４】
上記の要求を満たすため、ＮＲに採用される誤り訂正符号の検討が行われている（非特許文献２）。
【先行技術文献】
【非特許文献】
【０００５】
【非特許文献１】"New SID proposal: Study on New Radio Access Technology", RP-160671, NTT docomo, 3GPP TSG RAN Meeting#71, Goteborg, Sweden, 7th - 10th March, 2016.
【非特許文献２】"3GPP TR 38.802 V0.0.3 (2016-03) ", R1-165889, 9th June, 2016.
【発明の概要】
【発明が解決しようとする課題】
【０００６】
本発明は、効率的に誤り訂正符号化を行うことができる基地局装置、該基地局装置に用いられる通信方法、効率的に誤り訂正復号化を行うことができる端末装置、該端末装置に用いられる通信方法を提供する。
【課題を解決するための手段】
【０００７】
（１）本発明の第１の態様は、端末装置であって、下りリンクグラントに基づきトランスポートブロックを受信する受信部と、前記トランスポートブロックは複数の第１のコードブロックに分割され、前記複数の第１のコードブロックを復号する復号化部と、を備え、前記複数の第１のコードブロックのそれぞれは、ソフトバッファサイズに基づいて符号化され、前記ソフトバッファサイズは、少なくとも第１の値に基づき与えられ、前記トラ
ンスポートブロックの初期送信において、前記第１の値は前記複数の第１のコードブロックの数であり、前記複数の第１のコードブロックの数は前記トランスポートブロックのサイズに基づき与えられ、前記トランスポートブロックのサイズは前記下りリンク制御情報に含まれるＭＣＳフィールドに少なくとも基づき与えられ、第２のコードブロックが再送信される場合、前記第１の値は前記第２のコードブロックの数であり、前記第２のコードブロックは前記分割された複数の第１のコードブロックの一部のコードブロックを含む。
【０００８】
（２）本発明の第２の態様は、基地局装置であって、下りリンクグラントに基づきトランスポートブロックを送信する送信部と、前記トランスポートブロックは複数の第１のコードブロックに分割され、前記複数の第１のコードブロックを符号化する符号化部と、を備え、前記複数の第１のコードブロックのそれぞれは、ソフトバッファサイズに基づいて符号化され、前記ソフトバッファサイズは、少なくとも第１の値に基づき与えられ、前記トランスポートブロックの初期送信において、前記第１の値は前記複数の第１のコードブロックの数であり、前記複数の第１のコードブロックの数は前記トランスポートブロックのサイズに基づき与えられ、前記トランスポートブロックのサイズは前記下りリンク制御情報に含まれるＭＣＳフィールドに少なくとも基づき与えられ、第２のコードブロックが再送信される場合、前記第１の値は前記第２のコードブロックの数であり、前記第２のコードブロックは前記分割された複数の第１のコードブロックの一部のコードブロックを含む。
【０００９】
（３）本発明の第３の態様は、端末装置の通信方法であって、下りリンクグラントに基づきトランスポートブロックを受信するステップと、前記トランスポートブロックは複数の第１のコードブロックに分割され、前記複数の第１のコードブロックを復号するステップと、を備え、前記複数の第１のコードブロックのそれぞれは、ソフトバッファサイズに基づいて符号化され、前記ソフトバッファサイズは、少なくとも第１の値に基づき与えられ、前記トランスポートブロックの初期送信において、前記第１の値は前記複数の第１のコードブロックの数であり、前記複数の第１のコードブロックの数は前記トランスポートブロックのサイズに基づき与えられ、前記トランスポートブロックのサイズは前記下りリンク制御情報に含まれるＭＣＳフィールドに少なくとも基づき与えられ、第２のコードブロックが再送信される場合、前記第１の値は前記第２のコードブロックの数であり、前記第２のコードブロックは前記分割された複数の第１のコードブロックの一部のコードブロックを含む。
【００１０】
（４）本発明の第４の態様は、基地局装置の通信方法であって、下りリンクグラントに基づきトランスポートブロックを送信するステップと、前記トランスポートブロックは複数の第１のコードブロックに分割され、前記複数の第１のコードブロックを符号化するステップと、を備え、前記複数の第１のコードブロックのそれぞれは、ソフトバッファサイズに基づいて符号化され、前記ソフトバッファサイズは、少なくとも第１の値に基づき与えられ、前記トランスポートブロックの初期送信において、前記第１の値は前記複数の第１のコードブロックの数であり、前記複数の第１のコードブロックの数は前記トランスポートブロックのサイズに基づき与えられ、前記トランスポートブロックのサイズは前記下りリンク制御情報に含まれるＭＣＳフィールドに少なくとも基づき与えられ、第２のコードブロックが再送信される場合、前記第１の値は前記第２のコードブロックの数であり、前記第２のコードブロックは前記分割された複数の第１のコードブロックの一部のコードブロックを含む。
【発明の効果】
【００１１】
この発明によれば、基地局装置と端末装置は効率的に通信が行うことができる。
【図面の簡単な説明】
【００１２】
【図１】本実施形態の一態様に係る無線通信システムの概念を示す図である。
【図２】本実施形態の一態様に係る無線フレーム、サブフレーム、および、スロットの構成を示す一例である。
【図３】本実施形態の一態様に係る基地局装置の構成例を示す概略ブロック図である。
【図４】本実施形態の一態様に係る端末装置１の構成例を示す概略ブロック図である。
【図５】本実施形態に係る基地局装置３の符号化手順（Ｃｏｄｉｎｇ  ｐｒｏｃｅｓｓ）の概略を示すブロック図である。
【図６】本実施形態の一態様に係るコードブロック分割部４０１１のコードブロック数を算出するための第１の手順の一例を示す図である。
【図７】本実施形態の一態様に係るビット選択および切断部４００５のレートマッチ操作の一例を示す図である。
【図８】本実施形態の一態様に係る第２のコードブロックセットを指示する情報の一例を示す図である。
【図９】本実施形態の一態様に係る第２のコードブロックセットを指示する情報の一例である。
【発明を実施するための形態】
【００１３】
以下、本発明の各実施形態について説明する。
【００１４】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも称する。
【００１５】
以下、端末装置１、および、基地局装置３の間の通信に関する種々の無線パラメータについて説明する。ここで、少なくとも一部の無線パラメータ（例えば、サブキャリア間隔（ＳＣＳ：Ｓｕｂｃａｒｒｉｅｒ  Ｓｐａｃｉｎｇ））は、Ｎｕｍｅｒｏｌｏｇｙとも呼称される。無線パラメータは、サブキャリア間隔、ＯＦＤＭシンボルの長さ、サブフレームの長さ、スロットの長さ、および、ミニスロットの長さの少なくとも一部を含む。
【００１６】
サブキャリア間隔は、参照サブキャリア間隔（Ｒｅｆｅｒｅｎｃｅ  ＳＣＳ、Ｒｅｆｅｒｅｎｃｅ  Ｎｕｍｅｒｏｌｏｇｙ）、および、実際の無線通信に使用される通信方式のためのサブキャリア間隔（Ａｃｔｕａｌ  ＳＣＳ、Ａｃｔｕａｌ  Ｎｕｍｅｒｏｌｏｇｙ）の２つに分類されてもよい。参照サブキャリア間隔は、無線パラメータの少なくとも一部を決定するために用いられてもよい。例えば、参照サブキャリア間隔は、サブフレームの長さを設定するために用いられる。ここで、参照サブキャリア間隔は、例えば、１５ｋＨｚである。
【００１７】
実際の無線通信に使用されるサブキャリア間隔は、端末装置１と基地局装置３の間の無通信に使用される通信方式（例えば、ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ、ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ：Ｓｉｎｇｌｅ  Ｃａｒｒｉｅｒ  −  Ｆｒｅｑｕｅｎｃｙ  Ｄｉｖｉｓｉｏｎ  Ｍｕｌｔｉｐｌｅ  Ａｃｃｅｓｓ、ＤＦＴ−ｓ−ＯＦＤＭ：Ｄｉｓｃｒｅｔｅ  Ｆｏｕｒｉｅｒ  Ｔｒａｎｓｆｏｒｍ  −  ｓｐｒｅａｄ  −  ＯＦＤＭ）のための無線パラメータの１つである。以下では、参照サブキャリア間隔を第１のサブキャリア間隔とも呼称する。また、実際の無線通信に使用されるサブキャリア間隔を第２のサブキャリア間隔とも呼称する。
【００１８】
図２は、本実施形態の一態様に係る無線フレーム、サブフレーム、および、スロットの構成を示す一例である。図２において、スロットの長さは０．５ｍｓであり、サブフレームの長さは１ｍｓであり、無線フレームの長さは１０ｍｓである。スロットは、時間領域におけるリソース割り当ての単位であってもよい。スロットは、トランスポートブロックがマップされる単位であってもよい。トランスポートブロックは、１つのスロットにマップされてもよい。サブフレームは、トランスポートブロックがマップされる単位であってもよい。トランスポートブロックは、１つのサブフレームにマップされてもよい。ここで、トランスポートブロックは、上位層（例えば、ＭＡＣ：Ｍｅｄｉａｍ  Ａｃｃｅｓｓ  Ｃｏｎｔｒｏｌ等）で規定される所定の間隔（例えば、送信時間間隔（ＴＴＩ：Ｔｒａｎｓｍｉｓｓｉｏｎ  Ｔｉｍｅ  Ｉｎｔｅｒｖａｌ））内に送信されるデータの単位であってもよい。また、トランスポートブロックは、データブロック、トランスポートデータ、送信データ、送信符号、送信ブロック、ペイロード、情報、情報ブロック、符号化データ、下りリンクデータ、上りリンクデータのいずれかであってもよい。
【００１９】
スロットの長さは、ＯＦＤＭシンボルの数によって与えられてもよい。例えば、ＯＦＤＭシンボルの数は、７、１４、２８であってもよい。スロットの長さは、ＯＦＤＭシンボルの長さに少なくとも基づき与えられてもよい。ＯＦＤＭシンボルの長さは、第２のサブキャリア間隔に少なくとも基づき異なってもよい。また、ＯＦＤＭシンボルの長さは、ＯＦＤＭシンボルの生成に用いられる高速フーリエ変換（ＦＦＴ：Ｆａｓｔ  Ｆｏｕｒｉｅｒ  Ｔｒａｎｓｆｏｒｍ）のポイント数に少なくとも基づき与えられてもよい。また、ＯＦＤＭシンボルの長さは、ＯＦＤＭシンボルに付加されるサイクリックプレフィックス（ＣＰ：Ｃｙｃｌｉｃ  Ｐｒｅｆｉｘ）の長さを含んでもよい。ここで、ＯＦＤＭシンボルは、シンボルとも呼称される。また、端末装置１と基地局装置３の間の通信において、ＯＦＤＭ以外の通信方式が使用される場合（例えば、ＳＣ−ＦＤＭＡやＤＦＴ−ｓ−ＯＦＤＭが使用される場合等）、生成されるＳＣ−ＦＤＭＡシンボル、および／または、ＤＦＴ−ｓ−ＯＦＤＭシンボルはＯＦＤＭシンボルとも呼称される。例えば、スロットの長さは、０．２５ｍｓ、０．５ｍｓ、１ｍｓ、２ｍｓ、３ｍｓであってもよい。
【００２０】
以下、無線リソースおよび種々のチャネルについて説明を行う。
【００２１】
無線リソースは、端末装置１と基地局装置３の間の無線通信のために用いられるリソースである。無線リソースには、種々のチャネルがマップされてもよい。種々のチャネルは、少なくとも同期チャネル、報知チャネル、制御チャネル、共有チャネル、および、参照信号の一部または全部を少なくとも含んでもよい。
【００２２】
同期チャネルは、同期信号とも呼称される。同期チャネルは、端末装置１が下りリンクの周波数および時間領域の同期をとるために用いられる。
【００２３】
報知チャネルは、ＰＢＣＨ（Ｐｈｙｓｉｃａｌ  Ｂｒｏａｄｃａｓｔ  ＣＨａｎｎｅｌ）とも呼称される。報知チャネルは、端末装置１で共通に用いられるマスターインフォメーションブロック（ＭＩＢ：Ｍａｓｔｅｒ  Ｉｎｆｏｒｍａｔｉｏｎ  Ｂｌｏｃｋ）を報知するために用いられる。マスターインフォメーションブロックは、無線フレームの番号を含んでもよい。
【００２４】
制御チャネルは、ＰＤＣＣＨ（Ｐｈｙｓｉｃａｌ  Ｄｏｗｎｌｉｎｋ  Ｃｏｎｔｒｏｌ
ＣＨａｎｎｅｌ）とも呼称される。制御チャネルは、下りリンク制御情報を送信するために用いられる。下りリンク制御情報は、ＤＣＩ（Ｄｏｗｎｌｉｎｋ  Ｃｏｎｔｒｏｌ  Ｉｎｆｏｒｍａｔｉｏｎ）フォーマットとも呼称される。下りリンク制御情報は、下りリンクグラント、または、上りリンクグラントを含む。下りリンクグラントは、下りリンクアサインメント（ｄｏｗｎｌｉｎｋ  ａｓｓｉｇｎｍｅｎｔ）または下りリンク割り当て
（ｄｏｗｎｌｉｎｋ  ａｌｌｏｃａｔｉｏｎ）とも呼称される。
【００２５】
共有チャネルは、ＰＤＳＣＨ（Ｐｈｙｓｉｃａｌ  Ｄｏｗｎｌｉｎｋ  Ｓｈａｒｅｄ  ＣＨａｎｎｅｌ）とＰＵＳＣＨ（Ｐｈｙｓｉｃａｌ  Ｕｐｌｉｎｋ  Ｓｈａｒｅｄ  ＣＨａｎｎｅｌ）を少なくとも含む。共有チャネルは、トランスポートブロックの送信のために用いられる。ＰＤＳＣＨのリソース割り当ては、制御チャネルに含まれる下りリンクグラントにより指示されてもよい。ＰＵＳＣＨのリソース割り当ては、制御チャネルに含まれる上りリンクグラントにより指示されてもよい。
【００２６】
参照信号は、無線リソースのチャネル推定のために用いられる。
【００２７】
図３は、本実施形態の一態様に係る基地局装置の構成例を示す概略ブロック図である。図示されるように、基地局装置３は、上位層処理部３０１、制御部３０３、受信部３０５、送信部３０７、および、送受信アンテナ３０９の一部または全部を少なくとも含んで構成される。上位層処理部３０１は、無線リソース制御部３０１１、および、スケジューリング部３０１３の一部または全部を少なくとも含んで構成される。受信部３０５は、データ復調／復号部３０５１、制御情報復調／復号部３０５３、多重分離部３０５５、無線受信部３０５７、および、チャネル測定部３０５９の一部または全部を少なくとも含んで構成される。また、送信部３０７は、符号化部３０７１、変調部３０７３、多重部３０７５、無線送信部３０７７、および、下りリンク参照信号生成部３０７９の一部または全部を少なくとも含んで構成される。
【００２８】
上位層処理部３０１は、媒体アクセス制御（ＭＡＣ：Ｍｅｄｉｕｍ  Ａｃｃｅｓｓ  Ｃｏｎｔｒｏｌ）層、パケットデータ統合プロトコル（ＰＤＣＰ：Ｐａｃｋｅｔ  Ｄａｔａ
Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の一部または全部の処理を少なくとも行なう。また、上位層処理部３０１は、受信部３０５、および送信部３０７の制御を行なうために制御情報を生成し、制御部３０３に出力する。なお、媒体アクセス制御層の処理の一部は、制御部３０３において実施されてもよい。
【００２９】
無線リソース制御部３０１１は、トランスポートブロックを生成し、または、上位ノードから取得し、スケジューリング部３０１３、または、制御部３０３に出力することができる。また、無線リソース制御部３０１１は、端末装置１各々の各種設定情報の管理を行う。
【００３０】
スケジューリング部３０１３は、無線リソース制御部３０１１において生成されたトランスポートブロックの送信のために割り当てられる無線リソースの管理を行う。無線リソース制御部３０１１において生成されたトランスポートブロックが端末装置１に向けて送信される場合、スケジューリング部３０１３は、端末装置１に無線リソースの割り当てを示す下りリンク制御情報を生成し、生成した下りリンク制御情報を送信部３０７へ出力することができる。
【００３１】
制御部３０３は、上位層処理部３０１より出力される制御情報に基づいて、受信部３０５、および、送信部３０７の制御を行なう制御信号を生成する。制御部３０３は、生成した制御信号を受信部３０５、および、送信部３０７に出力して受信部３０５、および送信部３０７の制御を行なう。
【００３２】
制御部３０３は、媒体アクセス制御層の処理の一部（例えば、再送の指示等）を行う機能を備えてもよい。
【００３３】
受信部３０５は、制御部３０３から入力された制御信号に従って、送受信アンテナ３０９を介して端末装置１から受信した受信信号の分離、復調、および、復号を行い、復号された情報を上位層処理部３０１に出力する。
【００３４】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Ｆａｓｔ  Ｆｏｕｒｉｅｒ  Ｔｒａｎｓｆｏｒｍ：  ＦＦＴ）を行い、周波数領域の信号を抽出し多重分離部３０５５に出力する。
【００３５】
多重分離部３０５５は、無線受信部３０５７から入力された信号を制御チャネル、共有チャネル、参照信号などの信号に分離する。多重分離部３０５５は、チャネル測定部３０５９から入力された伝搬路の推定値から、制御チャネル、および／または、共有チャネルの伝搬路の補償を行なう。また、多重分離部３０５５は、分離した参照信号をチャネル測定部３０５９に出力する。
【００３６】
多重分離部３０５５は、分離した制御チャネル、および／または、共有チャネルから、トランスポートブロックの変調シンボル、および／または、上りリンク制御情報を含む変調シンボルを取得する。多重分離部３０５５は、共有チャネルの信号から取得した上りリンクデータを含む変調シンボルをデータ復調／復号部３０５１へ出力する。多重分離部３０５５は、制御チャネルまたは共有チャネルから取得した上りリンク制御情報を含む変調シンボルを制御情報復調／復号部３０５３へ出力する。上りリンク制御情報は、受信確認応答やスケジューリングリクエスト（ＳＲ：Ｓｃｈｅｄｕｌｉｎｇ  Ｒｅｑｕｅｓｔ）等を含む。
【００３７】
チャネル測定部３０５９は、多重分離部３０５５から入力された参照信号から伝搬路の推定値、チャネルの品質などを測定し、多重分離部３０５５および上位層処理部３０１に出力する。
【００３８】
データ復調／復号部３０５１は、多重分離部３０５５から入力されたトランスポートブロックの変調シンボルを復調する。復調後の系列は、復号化が施され、トランスポートブロックが生成される。データ復調／復号部３０５１は、復号化されたトランスポートブロックを上位層処理部３０１へ出力する。
【００３９】
制御情報復調／復号部３０５３は、多重分離部３０５５から入力された上りリンク制御情報を含む変調シンボルを復調する。復調後の系列は、復号化が施され、上りリンク制御情報が生成される。制御情報復調／復号部３０５３は、復号化された上りリンク制御情報を上位層処理部３０１、または、制御部３０３へ出力する。
【００４０】
送信部３０７は、参照信号を生成し、上位層処理部３０１から入力された下りリンク制御情報、トランスポートブロックを符号化、および、変調し、制御チャネル、共有チャネル、参照信号の一部または全部を含んで、送受信アンテナ３０９を介して端末装置１に信号を送信する。
【００４１】
符号化部３０７１は、上位層処理部３０１から入力された下りリンク制御情報、および／または、トランスポートブロックに対して所定の手順に基づく符号化を行なう。符号化部３０７１における所定の手順に基づく符号化については、詳細は後述される。
【００４２】
変調部３０７３は、符号化部３０７１から入力された符号化ビットをＢＰＳＫ（Ｂｉｎ
ａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ等の変調方式で変調する。
【００４３】
下りリンク参照信号生成部３０７９は参照信号を生成する。多重部３０７５は、各チャネルの変調シンボルと参照信号を多重し、送信シンボルを生成する。
【００４４】
無線送信部３０７７は、多重された送信シンボルなどを逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）して、時間シンボルを生成する。無線送信部３０７７は、時間シンボルに対してＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: ｕｐ  ｃｏｎｖｅｒｔ）し、余分な周波数成分を除去し、搬送波信号（Ｃａｒｒｉｅｒ  ｓｉｇｎａｌ、Ｃａｒｒｉｅｒ、ＲＦ  ｓｉｇｎａｌ等）を生成する。無線送信部３０７７は、搬送波信号に対して、電力増幅し、送受信アンテナ３０９に出力して送信する。
【００４５】
図４は、本実施形態の一態様に係る端末装置１の構成例を示す概略ブロック図である。図示されるように、端末装置１は、上位層処理部１０１、制御部１０３、受信部１０５、送信部１０７、および、送受信アンテナ１０９の一部または全部を少なくとも含んで構成される。上位層処理部１０１は、無線リソース制御部１０１１、および、スケジューリング部１０１３の一部または全部を少なくとも含んで構成される。受信部１０５は、復号化部１０５１、復調部１０５３、多重分離部１０５５、無線受信部１０５７、および、チャネル測定部１０５９の一部または全部を少なくとも含んで構成される。送信部１０７は、符号化部１０７１、共有チャネル生成部１０７３、制御チャネル生成部１０７５、多重部１０７７、無線送信部１０７９、および、上りリンク参照信号生成部１０７１１の一部または全部を少なくとも含んで構成される。
【００４６】
上位層処理部１０１は、ユーザーの操作等により生成されたトランスポートブロックを、送信部１０７に出力する。上位層処理部１０１は、媒体アクセス制御（ＭＡＣ：  Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：  ＰＤＣＰ）層、無線リンク制御（Ｒａｄｉｏ  Ｌｉｎｋ  Ｃｏｎｔｒｏｌ：  ＲＬＣ）層、無線リソース制御（Ｒａｄｉｏ  Ｒｅｓｏｕｒｃｅ  Ｃｏｎｔｒｏｌ：  ＲＲＣ）層の処理を行なう。また、上位層処理部１０１は、受信部１０５、および送信部１０７の制御を行なうために制御情報を生成し、制御部１０３に出力する。なお、媒体アクセス制御層の処理の一部は、制御部１０３において実施されてもよい。
【００４７】
無線リソース制御部１０１１は、端末装置１の各種設定情報の管理を行なう。各種設定情報は、無線リソース制御に関する設定、ＲＲＭ（Ｒａｄｉｏ  Ｒｅｓｏｕｒｃｅ  Ｍａｎａｇｅｍｅｎｔ）測定に関する設定、ＲＲＭ報告に関する設定、ＣＳＩ測定に関する設定、ＣＳＩ報告に関する設定、送信電力制御に関する設定、物理チャネルに関する設定、および、物理信号に関する設定とセルに関する設定の一部または全部を含んでもよい。各種設定情報は、基地局装置３によって提供され、端末装置１に設定されるために用いられる情報であってもよい。また、無線リソース制御部１０１１は、上りリンクの物理チャネルに配置される情報を生成し、送信部１０７に出力する。上りリンクの物理チャネルに配置される情報は、トランスポートブロックであってもよい。
【００４８】
スケジューリング部１０１３は、上りリンクグラントに含まれる情報に基づき、送信部
１０７において用いられる無線リソースの制御を行う。スケジューリング部１０１３は、下りリンクグラントに含まれる情報に基づき、受信部１０５において用いられる無線リソースの制御を行う。
【００４９】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００５０】
制御部１０３は、媒体アクセス制御層の処理の一部（例えば、再送の指示等）を行う機能を備えてもよい。制御部１０３は、上位層処理部１０１に含まれる機能であってもよい。
【００５１】
受信部１０５は、送受信アンテナ１０９を介して基地局装置３から受信した受信信号の分離、復調、および、復号を行い、復号された情報を上位層処理部１０１に出力する。
【００５２】
無線受信部１０５７は、送受信アンテナ１０９を介して受信した下りリンクの信号を復調し、復調されたアナログ信号をディジタル信号に変換する。例えば、無線受信部１０５７は、ディジタル信号に対して高速フーリエ変換（Ｆａｓｔ  Ｆｏｕｒｉｅｒ  Ｔｒａｎｓｆｏｒｍ：  ＦＦＴ）を行い、周波数領域の信号を抽出してもよい。
【００５３】
多重分離部１０５５は、抽出された信号を制御チャネルと共有チャネルと参照信号に、それぞれ分離する。多重分離部１０５５は、分離した参照信号をチャネル測定部１０５９、および／または、多重分離部１０５５に出力する。
【００５４】
多重分離部１０５５は、制御チャネル、および／または、共有チャネルのチャネル等化（Ｃｈａｎｎｅｌ  Ｅｑｕａｌｉｚａｔｉｏｎ）を行う。チャネル等化後の制御チャネル、および／または、チャネル等化後の共有チャネルは、復調部１０５３に出力される。
【００５５】
チャネル測定部１０５９は、参照信号に基づきチャネル測定を行う。チャネル測定に基づき与えられるチャネル測定値は、多重分離部１０５５へ出力される。
【００５６】
復調部１０５３は、チャネル等化後の制御チャネル、および／または、チャネル等化後の共有チャネルに対して、ＢＰＳＫ、ＱＰＳＫ、１６ＱＡＭ、６４ＱＡＭ等の変調方式に対する復調を行う。復調部１０５３は、復調後の系列を復号化部１０５１へ出力する。
【００５７】
復号化部１０５１は、復調後の系列を所定の手順に基づき復号化を行い、トランスポートブロックを生成する。復号化部１０５１は、該トランスポートブロックを上位層処理部１０１へ出力する。復号化部１０５１における所定の手順に基づく復号化は、基地局装置１の所定の手順に基づく符号化の想定のもと、復号化を行う動作である。つまり、復号化部１０５１は、トランスポートブロックの復号化において、該トランスポートブロックが所定の手順に基づく符号化が実施されたことを想定する。
【００５８】
送信部１０７は、参照信号を生成し、上位層処理部１０１から入力されたトランスポートブロックや上りリンク制御情報を符号化および変調し、共有チャネル、制御チャネル、および、参照信号の一部または全部を少なくとも多重し、送受信アンテナ１０９を介して基地局装置３に送信する。
【００５９】
符号化部１０７１は、上位層処理部１０１から入力された上りリンク制御情報、および／または、トランスポートブロックを所定の手順に基づき符号化して符号化ビットを生成
し、符号化ビットを共有チャネル生成部１０７３、および／または、制御チャネル生成部１０７５に出力する。符号化部１０７１における所定の手順に基づく符号化の詳細は後述される。
【００６０】
共有チャネル生成部１０７３は、符号化部１０７１から入力された符号化ビットを変調して変調シンボルを生成し、変調シンボルを少なくともＤＦＴすることによって共有チャネルを生成し、多重部１０７７へ出力してもよい。共有チャネル生成部１０７３は、符号化部１０７１から入力された符号化ビットを変調して共有チャネルを生成し、多重部１０７７へ出力してもよい。
【００６１】
制御チャネル生成部１０７５は、符号化部１０７１から入力された符号化ビット、および／または、スケジューリングリクエストに基づいて、制御チャネルを生成し、多重部１０７７へ出力する。
【００６２】
上りリンク参照信号生成部１０７１１は参照信号を生成し、生成した上りリンク参照信号を多重部１０７７へ出力する。
【００６３】
多重部１０７７は、共有チャネル生成部１０７３から入力されたチャネル、および／または、制御チャネル生成部１０７５から入力されたチャネル、および／または、上りリンク参照信号生成部１０７１１から入力された参照信号を、上りリンクの無線リソースに多重する。多重部１０７７は、多重された信号を無線送信部１０７９に出力する。
【００６４】
無線送信部１０７９は、多重された信号に対して逆高速フーリエ変換（Ｉｎｖｅｒｓｅ
Ｆａｓｔ  Ｆｏｕｒｉｅｒ  Ｔｒａｎｓｆｏｒｍ：  ＩＦＦＴ）を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート:  ｕｐ  ｃｏｎｖｅｒｔ）し、余分な周波数成分を除去し、電力増幅し、送受信アン
テナ１０９に出力して送信する。
【００６５】
以下、本実施形態の一態様に係る基地局装置３の符号化について説明を行う。
【００６６】
図５は、本実施形態に係る基地局装置３の符号化手順（Ｃｏｄｉｎｇ  ｐｒｏｃｅｓｓ）の概略を示すブロック図である。図５（ａ）は、入力ビット系列ａｋが入力され、１または複数のコードブロックｃｋが生成されるまでの手順を示す。入力ビット系列ａｋは、符号化手順に入力されるビット系列である。入力ビット系列ａｋは、トランスポートブロックであってもよい。コードブロックｃｋは、誤り訂正符号化（チャネル符号化）が施される単位であってもよい。図５（ｂ）は、所与のコードブロックｃｋが入力され、レートマッチ系列ｅｋが生成されるまでの手順を示す。符号化手順は、第１のＣＲＣ付加（Ｆｉｒｓｔ  ＣＲＣ  ａｔｔａｃｈｍｅｎｔ）部４００１、分割およびＣＲＣ付加（Ｓｅｇｍｅｎｔａｔｉｏｎ  ａｎｄ  ＣＲＣ）部４０１０、符号化（Ｅｎｃｏｄｅｒ）部４００２、サブブロックインターリーバ（Ｓｕｂ−ｂｌｏｃｋ  ｉｎｔｅｒｌｅａｖｅｒ）部４００３、ビット収集（Ｂｉｔ  ｃｏｌｌｅｃｔｉｏｎ）部４００４、および、ビット選択および切断（Ｂｉｔ  ｓｅｌｅｃｔｉｏｎ  ａｎｄ  ｐｒｕｎｉｎｇ）部４００５の一部または全部を少なくとも含んで構成される。分割およびＣＲＣ付加部４０１０は、コードブロック分割部４０１１と、第２のＣＲＣ付加（Ｓｅｃｏｎｄ  ＣＲＣ  ａｔｔａｃｈｍｅｎｔ）部４０１２の少なくとも１つを含んで構成される。
【００６７】
入力ビット系列ａｋは、第１のＣＲＣ付加部４００１に入力される。ＣＲＣ付加部４００１は、入力ビット系列ａｋに基づき、第１のＣＲＣビットｐｋを生成する。第１のＣＲ
Ｃビットが入力ビット系列ａｋに付加されることにより、系列ｂｋが生成される。第１のＣＲＣ付加部４００１は系列ｂｋを分割およびＣＲＣ付加部４０１０に入力する。例えば、第１のＣＲＣビットは、４ビット、８ビット、１６ビット、または、２４ビットからなる系列であってもよい。第１のＣＲＣビットは、上記以外のビット数により構成されてもよい。
【００６８】
系列ｂｋは、コードブロック分割部４０１１に入力される。コードブロック分割部４０１１は、系列ｂｋを１または複数のコードブロックに分割する。コードブロック分割部４０１１は、系列ｂｋを第１のコードブロックセットに分割してもよい。コードブロック分割部４０１１に第２のコードブロックセットが入力される場合、系列ｂｋは、第２のコードブロックセットに分割されてもよい。
【００６９】
図６は、本実施形態の一態様に係るコードブロック分割部４０１１のコードブロック数を算出するための第１の手順の一例を示す図である。ここで、Ｂは系列ｂｋのビット数を示す。また、Ｚはコードブロックのビット数の上限（最大コードブロック長）を示す。ＮＣＢはコードブロック数を示す。Ｂ’はそれぞれのコードブロックに付加される第２のＣＲＣビットと系列ｂｋのビット数の合計を示す。Ｌは１つのコードブロックに付加される第２のＣＲＣビットのビット数を示す。
【００７０】
系列ｂｋのビット数Ｂが最大コードブロック長Ｚ以下である場合、第２のＣＲＣビットのビット数Ｌ＝０であり、かつ、コードブロック数ＮＣＢ＝１であり、Ｂ’＝Ｂである。一方、系列ｂｋのビット数Ｂが最大コードブロック長Ｚより大きい場合、Ｌ＝２４であり、コードブロック数ＮＣＢ＝ｆｌｏｏｒ（Ｂ／（Ｚ−Ｌ））で与えられてもよい。ここで、ｆｌｏｏｒ（＊）は、＊を下回らない条件の下で最小の整数を出力する関数である。ｆｌｏｏｒ（＊）は、天井関数とも呼称される。
【００７１】
系列ｂｋのビット数Ｂは、入力ビット系列ａｋのビット数Ａと、第１のＣＲＣビットｐｋのビット数Ｐの和により与えられる。つまり、系列ｂｋのビット数Ｂ＝Ａ＋Ｐである。
【００７２】
最大コードブロック長Ｚは、６１４４であってもよいし、８１９２であってもよい。最大コードブロック長Ｚは、上記以外の値であってもよい。最大コードブロック長Ｚは、符号化手順に用いられる誤り訂正符号化の方式に少なくとも基づき与えられてもよい。例えば、最大コードブロック長Ｚは、符号化手順にターボ符号が用いられる場合に６１４４であってもよい。例えば、最大コードブロック長Ｚは、符号化手順にＬＤＰＣ（Ｌｏｗ  Ｄｅｎｓｉｔｙ  Ｐａｒｉｔｙ  Ｃｈｅｃｋ）符号が用いられる場合に８１９２であってもよい。ここで、ＬＤＰＣ符号は、ＱＣ−ＬＤＰＣ（Ｑｕａｓｉ−Ｃｙｃｌｉｃ  ＬＤＰＣ）符号であってもよい。
【００７３】
コードブロック分割部４０１１は、算出されるコードブロック数ＮＣＢに基づき、系列ｂｋをＮＣＢ個のコードブロックＣｒｋに分割する。ここで、ｒはコードブロックのインデックスを示す。コードブロックのインデックスｒは０からＮＣＢ−１の範囲に含まれる整数値により与えられる。
【００７４】
第２のＣＲＣ付加部４０１２は、コードブロックごとに第２のＣＲＣビットを付加する機能を備えてもよい。例えば、コードブロック数ＮＣＢ＝１である場合、コードブロックに対して第２のＣＲＣビットは付加されなくてもよい。これは、コードブロック数ＮＣＢ＝１である場合にＬ＝０であることに対応する。一方、コードブロック数ＮＣＢが１より大きい場合、コードブロックのそれぞれに対してビット数Ｌの第２のＣＲＣビットが付加されてもよい。コードブロック数ＮＣＢが１より大きいことは、系列ｂｋが複数のコードブロックに分割されることに対応する。第２のＣＲＣ付加部４０１２の出力は、コードブ
ロックｃｒｋと呼称される。コードブロックｃｒｋは、ｒ番目のコードブロックである。
【００７５】
符号化部４００２は、所与のコードブロックｃｋに対して誤り訂正符号化を施す機能を備える。ｃｋは、ｒ番目のコードブロックｃｒｋが入力される。符号化部４００２は、コードブロックｃｋに対して誤り訂正符号化を施し、符号化ビット系列（Ｃｏｄｅｄ  ｂｉｔ  ｓｅｑｕｅｎｃｅ）を出力する。誤り訂正符号化方式としてターボ符号が用いられる場合、符号化ビット系列はｄｋ（０）、ｄｋ（１）、ｄｋ（２）である。ここで、ｄｋ（０）は、組織ビット（ｓｙｓｔｅｍａｔｉｃ  ｂｉｔ）とも呼称される。ｄｋ（１）およびｄｋ（２）は、パリティビット（ｐａｒｉｔｙ  ｂｉｔ）とも呼称される。
【００７６】
符号化ビット系列は、１または複数の系列より構成されてもよい。符号化ビット系列を構成する系列の数は、Ｎｓｅｑとも呼称される。誤り訂正符号化方式としてターボ符号が用いられる場合、符号化ビット系列は３つの系列（ｄｋ（０）、ｄｋ（１）、ｄｋ（２））より構成されてもよい。つまり、誤り訂正符号化方式としてターボ符号が用いられる場合、Ｎｓｅｑ＝３であってもよい。誤り訂正符号化方式としてＬＤＰＣ符号が用いられる場合、符号化ビット系列は２つの系列（ｄｋ（０）、ｄｋ（１））より構成されてもよい。つまり、誤り訂正符号化方式としてＬＤＰＣ符号が用いられる場合、Ｎｓｅｑ＝２であってもよい。誤り訂正符号化方式としてＬＤＰＣ符号が用いられる場合、Ｎｓｅｑは２以外の値であってもよい。
【００７７】
符号化処理部４００２より出力される符号化ビット系列は、サブブロックインターリーバ部４００３またはビット収集部４００４に入力される。
【００７８】
サブブロックインターリーバ部４００３は、入力された符号化ビット系列の並び替え（ｓｏｒｔ、ｉｎｔｅｒｌｅａｖｅ）により、再配置ビット系列ｖｋ（ｎ）を出力する。ｎは０からＮｓｅｑ−１の範囲に含まれる整数である。サブブロックインターリーバは、行列により与えられる。サブブロックインターリーバの列の数Ｃｓｕｂｂｌｏｃｋは３２である。サブブロックインターリーバの行の数Ｒｓｕｂｂｌｏｃｋは、以下の数式（１）を満たす最も小さい整数であってもよい。ここで、Ｄは系列ｄｋ（ｎ）のそれぞれのビット数である。
【００７９】
【数１】
2020080443.tif 000003
サブブロックインターリーバ部４００３の出力である再配置ビット系列ｖｋ（ｎ）のそれぞれのビット数ＫΠは、以下の数式（２）によって与えられてもよい。
【００８０】
【数２】
2020080443.tif 000004
符号化ビット系列がビット収集部４００４に入力される場合、再配置ビットｖｋ（ｎ）＝ｄｋ（ｎ）であってもよい。
【００８１】
ビット収集部４００４は、再配置ビット系列ｖｋ（ｎ）を並び替えること（再配置）に
基づき、仮想巡回バッファ（Ｖｉｒｔｕａｌ  ｃｉｒｃｕｌａｒ  ｂｕｆｆｅｒ）を生成する。例えば、仮想巡回バッファｗｋは、ｗｋ＝ｖｋ（０）、ｗＫΠ＋２ｋ＝ｖｋ（１）、ｗＫΠ＋２ｋ＋１＝ｖｋ（２）に基づき生成されてもよい。ここで、ＫΠは、ｖｋ（０）のビット数である。ターボ符号において、Ｋｗは、Ｋｗ＝３ＫΠで示される値である。ビット収集部４００４は、仮想巡回バッファｗｋを出力する。
【００８２】
仮想巡回バッファｗｋは、Ｎｓｅｑ個の再配置ビット系列ｖｋ（ｎ）を所定の手順に基づき並び替えることにより生成されてもよい。仮想巡回バッファｗｋは、ビット選択および切断部４００５に入力される。
【００８３】
ビット選択および切断部４００５は、仮想巡回バッファｗｋに対してレートマッチ操作を施し、レートマッチ系列ｅｋを生成する。図７は、本実施形態の一態様に係るビット選択および切断部４００５のレートマッチ操作の一例を示す図である。仮想巡回バッファｗｋからレートマッチ系列ｅｋが得られる。レートマッチ系列ｅｋのビット数はＥである。レートマッチ系列ｅｋのビット数Ｅは、トランスポートブロックのためのリソース割り当て情報等に少なくとも基づき与えられる。図７のｒｖｉｄｘは、対応するトランスポートブロックの送信に対するＲＶ（ｒｅｄｕｎｄａｎｃｙ  ｖｅｒｓｉｏｎ）番号である。ＲＶ番号は、下りリンク制御情報に含まれる情報によって示されてもよい。ＲＶ番号は、上位層の信号に少なくとも基づき設定されてもよい。Ｎｃｂはコードブロックあたりのソフトバッファサイズであり、ビット数によって表現される。Ｎｃｂは、以下の数式（３）によって与えられる。
【００８４】
【数３】
2020080443.tif 000005
ここで、ＮＩＲは、入力ビット系列ａｋあたりのソフトバッファサイズに関連する値であり、ビットの数によって表現される。ＮＩＲは、以下の数式（４）によって与えられる。
【００８５】
【数４】
2020080443.tif 000006
ここで、端末装置１が、送信モード３、４、８、９、または１０に基づいてＰＤＳＣＨ送信を受信するよう設定されている場合、ＫＭＩＭＯは２であってもよく、かつ、それ以外の場合、ＫＭＩＭＯは１であってもよい。ＫＭＩＭＯは、端末装置１が設定されている送信モードに基づいて受信される１つの共有チャネル送信が含むことができるトランスポートブロックの最大数と同じであってもよい。ＫＭＩＭＯは、所定の送信方法において、所定の期間に受信可能なトランスポートブロックの最大数に関連してもよい。
【００８６】
ここで、ＭＤＬ＿ＨＡＲＱは、下りリンクＨＡＲＱプロセスの最大数であってもよい。ＭＤＬ＿ＨＡＲＱは、対応する１つのサービングセルにおいて並行して管理される下りリンクＨＡＲＱプロセスの最大数であってもよい。ＦＤＤサービングセルに対して、ＭＤＬ＿ＨＡＲＱは８であってもよい。ＴＤＤサービングセルに対して、ＭＤＬ＿ＨＡＲＱは上りリンク／下りリンク設定（ＵＬ／ＤＬ  ｃｏｎｆｉｇｕｒａｔｉｏｎ）に対応してもよ
い。ここで、Ｍｌｉｍｉｔは８である。上りリンク／下りリンク設定は、ＴＤＤにおいて用いられ、無線フレームにおける下りリンクサブフレームと上りリンクサブフレームのマッピングを示す。
【００８７】
ここで、Ｋｃは、｛１、３／２、２、８／３、３、および、５｝のうちの何れか１つであってもよいし、その他の値であってもよい。
【００８８】
ここで、Ｎｓｏｆｔは、ＵＥカテゴリ、または、下りリンクＵＥカテゴリに応じたソフトチャネルビットの総数である。ここで、ソフトチャネルビットは、ソフトビットとも呼称される。ソフトビットは、誤り訂正復号後に算出されるビットのためのＬＬＲ（Ｌｏｇ
Ｌｉｋｅｌｉｈｏｏｄ  Ｒａｔｉｏ）等に基づき与えられる情報であってもよい。例えば、ソフトビットは、ＬＬＲに少なくとも基づき与えられる量であってもよい。ソフトビットは、ＬＬＲに関連する値であってもよい。Ｎｓｏｆｔは、能力パラメータｕｅ−Ｃａｔｅｇｏｒｙ (ｗｉｔｈｏｕｔ  ｓｕｆｆｉｘ)、能力パラメータｕｅ−Ｃａｔｅｇｏｒ
ｙ−ｖ１０２０、能力パラメータｕｅ−Ｃａｔｅｇｏｒｙ−ｖ１１７０、および、能力パラメータｕｅ−ＣａｔｅｇｏｒｙＤＬ−ｒ１２のうちの何れか１つによって与えられてもよい。ＵＥカテゴリ、または、下りリンクＵＥカテゴリは、端末装置１がサポートする機能情報を示す情報である。
【００８９】
ビット選択および切断部４００５より生成されるｒ番目のコードブロックに対応するレートマッチ系列ｅｋは、レートマッチ系列ｅｒｋとも呼称される。ＮＣＢ個のレートマッチ系列ｅｒｋが結合されることにより、符号化出力系列ｆｋが生成される。符号化出力系列ｆｋは、変調、および、プレコーディング等が施され、無線リソースにマップされて送信される。
【００９０】
以下、基地局装置３が備える符号化部３０７１における所定の手順に基づく符号化について説明する。
【００９１】
符号化部３０７１は、前記符号化手順に基づき符号化される。つまり、符号化部３０７１は、第１のＣＲＣ付加部４００１、分割およびＣＲＣ付加部４０１０、符号化部４００２、サブブロックインターリーバ部４００３、ビット収集部４００４、ビット選択および切断部４００５の一部または全部を少なくとも含んで構成される。符号化部３０７１に入力される入力ビット系列ａｋは、トランスポートブロックである。少なくとも初期送信において、符号化部３０７１に入力されるトランスポートブロックのビット数は、ＴＢＳ（Ｔｒａｎｓｐｏｒｔ  Ｂｌｏｃｋ  Ｓｉｚｅ）のためのインデックスＩＴＢＳと該トランスポートブロックの送信に用いられる共有チャネルのリソースブロック数ＮＰＲＢにより特定される第１のテーブルにより与えられてもよい。ここで、ＴＢＳのためのインデックスＩＴＢＳは、ＭＣＳ（Ｍｏｄｕｌａｔｉｏｎ  ａｎｄ  Ｃｏｄｉｎｇ  Ｓｃｈｅｍｅ）を示すインデックスＩＭＣＳに少なくとも基づき与えられてもよい。ＭＣＳを示すインデックスＩＭＣＳは、下りリンク制御情報に少なくとも基づき与えられてもよい。ＭＣＳを示すインデックスＩＭＣＳは、該トランスポートブロックの送信を指示する下りリンクグラントに少なくとも基づき与えられてもよい。ＮＰＲＢは、下りリンクグラントに少なくとも基づき与えられてもよい。ＮＰＲＢは、該トランスポートブロックの送信を指示する下りリンクグラントに少なくとも基づき与えられてもよい。
【００９２】
コードブロック分割部４０１１において、条件Ｘ１に少なくとも基づきコードブロック数ＮＣＢが与えられてもよい。例えば、条件Ｘ１が満たされない場合、コードブロック数ＮＣＢは、図６に示される第１の手順に基づき与えられてもよい。一方、条件Ｘ１が満たされる場合、コードブロック数ＮＣＢは、第２の手順に基づき与えられてもよい。第２の手順については後述される。ここで、条件Ｘ１が満たされることは、条件ｘ１から条件ｘ
３の一部または全部が少なくとも満たされることであってもよい。条件Ｘ１が満たされないことは、条件ｘ１から条件ｘ３の一部または全部が少なくとも満たされないことであってもよい。
【００９３】
コードブロック分割部４０１１において、コードブロック数ＮＣＢは第１の手順に基づき与えられてもよい。条件Ｘ１が満たされない場合、ビット選択および切断部４００５において、コードブロック数ＮＣＢは第１の手順に基づき与えられてもよい。一方、条件Ｘ１が満たされる場合、ビット選択および切断部４００５において、コードブロック数ＮＣＢは第２の手順に基づき与えられてもよい。
【００９４】
条件ｘ１は、トランスポートブロックに含まれる複数のコードブロック（第１のコードブロックセット）のうち、一部のコードブロックを含む第２のコードブロックセットが送信されること、である。第１のコードブロックセットは、トランスポートブロックに含まれる全てのコードブロックであってもよい。第１のコードブロックセットが送信されることは、第１の送信とも呼称される。つまり、第１の送信は、トランスポートブロックに含まれる全てのコードブロックを含んで送信されることであってもよい。第２のコードブロックセットが送信されることは、第２の送信とも呼称される。つまり、第２の送信は、トランスポートブロックに含まれる一部のコードブロックが送信されることであってもよい。本実施形態の種々の態様において、トランスポートブロックに含まれる第１のコードブロックセットが初期送信された後、該トランスポートブロックに含まれる第２のコードブロックセットが再送信されることは、該トランスポートブロックの再送信とも呼称される。また、本実施形態の種々の態様において、トランスポートブロックに含まれる第１のコードブロックセットが初期送信された後、該第１のコードブロックセットが再送信されることは、該トランスポートブロックの再送信とも呼称される。
【００９５】
トランスポートブロックの初期送信において、第１の送信が行われてもよい。トランスポートブロックの再送信において、第１の送信または第２の送信が行われてもよい。第１の送信または第２の送信がトランスポートブロックの再送信に対応するか否かは、新データ指標（ＮＤＩ：Ｎｅｗ  Ｄａｔａ  Ｉｎｄｉｃａｔｏｒ）に少なくとも基づき与えられてもよい。新データ指標は、該新データ指標に対応するトランスポートブロックの送信が、初期送信に対応するか再送信に対応するかを少なくとも示してもよい。新データ指標は、下りリンクグラントに含まれてもよい。新データ指標は、１ビットの系列により示されてもよい。第１のトランスポートブロックの送信に対応する第１の新データ指標に対して、該第１のトランスポートブロックより後に送信される第２のトランスポートブロックの送信に対応する第２の新データ指標が切り替わる（ｔｏｇｇｌｅｄ）、または、切り替わるとみなされる場合に、該第２のトランスポートブロックの送信は初期送信に対応する（または、初期送信であるとみなされる）。該第１の新データ指標に対して、該第２の新データ指標が切り替わらない、または、切り替わらないとみなされる場合に、該第２のトランスポートブロックの送信は該第１のトランスポートブロックの再送信に対応する（または、再送信であるとみなされる）。
【００９６】
トランスポートブロックの送信に対応する新データ指標は、トランスポートブロックの送信を指示する下りリンクグラントに含まれる新データ指標であってもよい。ここで、第１の新データ指標に対して第２の新データ指標が切り替わることは、第１の新データ指標を示す第１のビット値（例えば、０または１）に対して、第２の新データ指標を示す第２のビット値が異なる、または、ビット値が反転することであってもよい。ここで、第１のトランスポートブロックの送信と第２のトランスポートブロックの送信は、同一のＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ）プロセスに対応してもよい。
【００９７】
ＨＡＲＱプロセスは、受信したトランスポートブロックが初期送信であるか再送信であるかに少なくとも基づき、ソフトバッファにストア（保存）されるデータを破棄するか否かを決定する機能を備える。受信したトランスポートブロックが初期送信である場合、ソフトバッファにストアされているデータを、該受信したトランスポートブロックに置き換える。受信したトランスポートブロックが再送信であり、かつ、ソフトバッファにストアされるデータに対応するトランスポートブロックが成功裏に復号されていない場合、ＨＡＲＱプロセスは該受信したトランスポートブロックと該データを混合（ｃｏｍｂｉｎｅ）する。ここで、ソフトバッファにストアされるデータに対応するトランスポートブロックが成功裏に復号されていないことは、ＨＡＲＱプロセスがＮＡＣＫ（Ｎｅｇａｔｉｖｅ  ＡＣＫｎｏｗｌｅｄｇｅｍｅｎｔ）を示すことであってもよい。受信したトランスポートブロックが再送信であり、かつ、ソフトバッファにストアされるデータに対応するトランスポートブロックのトランスポートブロックサイズと該受信したトランスポートブロックのトランスポートブロックサイズが異なる場合、該ソフトバッファにストアされる該データを、該受信したトランスポートブロックに置き換えてもよい。ここで、該受信したトランスポートブロックは、復号化後のソフトビットで表現されるデータであってもよい。
【００９８】
該受信したトランスポートブロックは、第１のコードブロックセットを含んでもよいし、第２のコードブロックセットを含んでもよい。該受信したトランスポートブロックは、該トランスポートブロックに含まれる全てのコードブロック（つまり、第１のコードブロックセット）を含むとは限らない。
【００９９】
ＨＡＲＱプロセスは、受信したトランスポートブロックに対応する新データ指標に少なくとも基づき、受信したトランスポートブロックが初期送信であるか再送信であるかを決定してもよい。
【０１００】
ソフトバッファは、該受信したトランスポートブロックを一時的にストアするバッファである。
【０１０１】
条件ｘ２は、トランスポートブロックに含まれる複数のコードブロック（第１のコードブロックセット）のうちの一部（第２のコードブロックセット）の送信が指示されること、である。つまり、条件ｘ２は、第２のコードブロックセットの送信が指示されることであってもよい。また、条件ｘ２は、第２の送信が指示されることであってもよい。
【０１０２】
下りリンクグラントは、第１の送信と第２の送信のいずれが用いられるかを指示する情報を含んでもよい。例えば、下りリンクグラントに含まれる１ビットの情報が、該下りリンクグラントに対応する送信が第１の送信であるか第２の送信であるかを指示してもよい。
【０１０３】
下りリンクグラントは、第２のコードブロックセットを指示する情報を含んでもよい。第２のコードブロックセットを指示する情報は、第１のコードブロックセットに含まれるコードブロックのいずれが送信されるかを示すビットマップであってもよい。第２のコードブロックセットを指示する情報は、第１のコードブロックセットより構成されるコードブロックグループのいずれが送信されるかを示すビットマップであってもよい。第２のコードブロックセットを指示する情報は、第１の送信と第２の送信のいずれが用いられるかを指示してもよい。
【０１０４】
図８は、本実施形態の一態様に係る第２のコードブロックセットを指示する情報の一例を示す図である。図８において、トランスポートブロックに７個のコードブロックが含まれる一例が示されている。つまり、図８において、第１のコードブロックセットは７個のコードブロックにより構成されている。第２のコードブロックセットを指示する情報は、
第１のコードブロックセットのいずれが送信されるかを示すビットマップとして表現されており、図８（ａ）において、１番目のコードブロック（＃０）、３番目のコードブロック（＃２）、および、６番目のコードブロック（＃５）が送信されることが示している。ここで、ビットマップが全て１に設定されることは、第１のコードブロックセットの送信（第１の送信）を意味してもよい。つまり、第２のコードブロックセットを指示する情報は、第１の送信と第２の送信のいずれが用いられるかを指示する情報（または、機能）を含んでもよい。
【０１０５】
図８（ｂ）において、複数のコードブロックからなるコードブロックグループが設定されている。第２のコードブロックセットを指示する情報は、コードブロックグループのビットマップであってもよい。図８（ｂ）において、第２のコードブロックセットを指示する情報は、１番目のコードブロック（＃０）、および、２番目のコードブロック（＃１）が送信されることを示している。ここで、コードブロックグループのビットマップが全て１に設定されることは、第１のコードブロックセットの送信（第１の送信）を意味してもよい。コードブロックグループの設定（コードブロックとコードブロックグループの対応関係）は上位層の信号に少なくとも基づき与えられてもよい。コードブロックグループの設定は仕様書等の記載に基づきあらかじめ与えられてもよい。
【０１０６】
第２のコードブロックセットを指示する情報は、所定のビット数により与えられてもよい。図９は、本実施形態の一態様に係る第２のコードブロックセットを指示する情報の一例である。図９において、第２のコードブロックセットを指示する情報は、２ビットで与えられており、それぞれのコードポイント（“００”、“０１”、“１０”、および、“１１”）は、第２のコードブロックセットの送信、または、第１のコードブロックセットのいずれかの送信を示している。図９において、コードポイント００はコードブロックグループ＃０が送信されることを指示し、コードポイント０１はコードブロックグループ＃１が送信されることを指示し、コードポイント１０はコードブロックグループ＃２が送信されることを指示し、コードポイント１１は、第１のコードブロックセットが送信されることを指示してもよい。
【０１０７】
第２のコードブロックセットを指示する情報は、上位層の信号に少なくとも基づき与えられてもよい。第２のコードブロックセットを指示する情報は、第１の送信と第２の送信のいずれが用いられるかを指示する情報を含んでもよい。例えば、第２のコードブロックセットを指示する情報は、トランスポートブロックの再送信において第１の送信と第２の送信のいずれが用いられるかを指示する情報を含んでもよい。
【０１０８】
上位層の信号は、第１の送信と第２の送信のいずれが用いられるかを指示する情報を含んでもよい。例えば、上位層の信号は、トランスポートブロックの再送信において第１の送信と第２の送信のいずれが用いられるかを指示する情報を含んでもよい。上位層の信号は、第２のコードブロックセットを指示する情報を含んでもよい。
【０１０９】
条件ｘ３は、下りリンクグラントに第２のコードブロックセットを指示する情報が含まれることである。
【０１１０】
条件Ｘ１が満たされる場合、コードブロック数ＮＣＢは、第２の手順に基づき与えられてもよい。第２の手順において、コードブロック数ＮＣＢは、下りリンクグラントにより指示されてもよい。第２の手順において、コードブロック数ＮＣＢは、第２のコードブロックセットにより指示されてもよい。第２の手順において、コードブロック数ＮＣＢは、第２のコードブロックセットを指示する情報に少なくとも基づき与えられてもよい。第２の手順において、コードブロック数ＮＣＢは、直前の受信確認応答に少なくとも基づき与えられてもよい。受信確認応答は、トランスポートブロックまたはコードブロックの復号
が成功裏に成功したか否か（ＡＣＫ／ＮＡＣＫ）を少なくとも示す。ＡＣＫは、Ｐｏｓｉｔｉｖｅ  ＡＣＫとも呼称される。ＡＣＫは、Ａｃｋｎｏｗｌｅｄｇｅｍｅｎｔとも呼称される。
【０１１１】
本実施形態の種々の態様において、トランスポートブロックのために端末装置１が生成し、送信する受信確認応答は、コードブロック（または、コードブロックグループ）ごとの受信確認応答を示してもよい。ここで、受信確認応答とは、トランスポートブロック（または、コードブロック、コードブロックグループ）が成功裏に復号を完了したか否かを示す情報であってもよい。
【０１１２】
つまり、第２の手順において、コードブロック数ＮＣＢは、成功裏に復号を完了できなかったコードブロックの数であってもよい。成功裏に復号を完了できなかったコードブロックの数は、直前の受信確認応答において成功裏に復号を完了できないことが示されるコードブロックの数であってもよい。成功裏に復号を完了できなかったコードブロックの数は、直前に受信されたコードブロックのための受信確認応答において、ＮＡＣＫが示されるコードブロックの数であってもよい。
【０１１３】
ここで、直前の受信確認応答とは、同一のＨＡＲＱプロセスに対応するトランスポートブロックのための直前の受信確認応答であってもよい。
【０１１４】
以下、本実施形態における、端末装置１および基地局装置３の種々の態様について説明する。
【０１１５】
（１）上記の目的を達成するために、本発明の態様は、以下のような手段を講じた。すなわち、本発明の第１の態様は、端末装置であって、下りリンクグラントに基づきトランスポートブロックを受信する受信部と、前記トランスポートブロックは複数の第１のコードブロックに分割され、前記複数の第１のコードブロックを復号する復号化部と、を備え、前記複数の第１のコードブロックのそれぞれは、ソフトバッファサイズに基づいて符号化され、前記ソフトバッファサイズは、少なくとも第１の値に基づき与えられ、前記トランスポートブロックの初期送信において、前記第１の値は前記複数の第１のコードブロックの数であり、前記複数の第１のコードブロックの数は前記トランスポートブロックのサイズに基づき与えられ、前記トランスポートブロックのサイズは前記下りリンク制御情報に含まれるＭＣＳフィールドに少なくとも基づき与えられ、第２のコードブロックが再送信される場合、前記第１の値は前記第２のコードブロックの数であり、前記第２のコードブロックは前記分割された複数の第１のコードブロックの一部のコードブロックを含む。
【０１１６】
（２）また、本発明の第１の態様において、前記第２のコードブロックの数は前記下りリンク制御情報に含まれる第１のフィールドにより指示される、または、前記トランスポートブロックのための受信確認応答に基づき与えられる。
【０１１７】
（３）また、本発明の第１の態様において、前記分割は、前記トランスポートブロックのサイズに基づく。
【０１１８】
（４）また、本発明の第２の態様は、基地局装置であって、下りリンクグラントに基づきトランスポートブロックを送信する送信部と、前記トランスポートブロックは複数の第１のコードブロックに分割され、前記複数の第１のコードブロックを符号化する符号化部と、を備え、前記複数の第１のコードブロックのそれぞれは、ソフトバッファサイズに基づいて符号化され、前記ソフトバッファサイズは、少なくとも第１の値に基づき与えられ、前記トランスポートブロックの初期送信において、前記第１の値は前記複数の第１のコードブロックの数であり、前記複数の第１のコードブロックの数は前記トランスポートブ
ロックのサイズに基づき与えられ、前記トランスポートブロックのサイズは前記下りリンク制御情報に含まれるＭＣＳフィールドに少なくとも基づき与えられ、第２のコードブロックが再送信される場合、前記第１の値は前記第２のコードブロックの数であり、前記第２のコードブロックは前記分割された複数の第１のコードブロックの一部のコードブロックを含む。
【０１１９】
（５）また、本発明の第２の態様において、前記第２のコードブロックの数は前記下りリンク制御情報に含まれる第１のフィールドにより指示される、または、前記トランスポートブロックのための受信確認応答に基づき与えられる。
【０１２０】
（６）また、本発明の第２の態様において、前記分割は、前記トランスポートブロックのサイズに基づく。
【０１２１】
これにより、端末装置１はデータを効率的に送受信することができる。また、基地局装置３はデータを効率的に送受信することができる。
【０１２２】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１２３】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１２４】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１２５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２６】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１２７】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１２８】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１２９】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１３０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１３１】
１（１Ａ、１Ｂ、１Ｃ）  端末装置
３  基地局装置
１０１  上位層処理部
１０３  制御部
１０５  受信部
１０７  送信部
１０９  送受信アンテナ
３０１  上位層処理部
３０３  制御部
３０５  受信部
３０７  送信部
３０９  送受信アンテナ
１０１１  無線リソース制御部
１０１３  スケジューリング部
１０５１  復号化部
１０５３  復調部
１０５５  多重分離部
１０５７  無線受信部
１０５９  チャネル測定部
１０７１  符号化部
１０７３  共有チャネル生成部
１０７５  制御チャネル生成部
１０７７  多重部
１０７９  無線送信部
１０７１１  上りリンク参照信号生成部
３０１１  無線リソース制御部
３０１３  スケジューリング部
３０５１  データ復調／復号部
３０５３  制御情報復調／復号部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
４００１  第１のＣＲＣ付加部
４０１０  分割およびＣＲＣ付加部
４０１１  コードブロック分割部
４０１２  第２のＣＲＣ付加部
４００２  符号化部
４００３  サブブロックインターリーバ部
４００４  ビット収集部
４００５  ビット選択および切断部
【図１】
2020080443.tif 000007
【図２】
2020080443.tif 000008
【図３】
2020080443.tif 000009
【図４】
2020080443.tif 000010
【図５】
2020080443.tif 000011
【図６】
2020080443.tif 000012
【図７】
2020080443.tif 000013
【図８】
2020080443.tif 000014
【図９】
2020080443.tif 000015